(57)【要約】【課題】電気制御回路は高価で落雷等による故障が生じ、間接伝達で複雑な調節連動関係を有した機械的制御のものは高価であった。【解決手段】回転する円筒カム１０に押圧面が周期的に上下変位するカム面１０ｄを設け、該カム面１０ｄに当接自在な係合ノブ１４ａを備えると共に、プランジャ４が回転自在に連結されたカムフォロア１４を上下動自在に設け、該カムフォロア１４を上方付勢する（圧縮）スプリング６３、６３ａを設けると共に、上下動するカムフォロア１４に設けたストッパー板６８が当接自在で、該ストッパー板６８の上動量を規制するストッパー（送り棒６６）を上下方向で調節自在に設けることによって、カムフォロア１４の上下動を直接的に調節すると共に、一方向（上動方向）はスプリングで、他方向（下動方向）はカム押圧で、上動量規制はストッパーの位置調節で夫々行い、上下往復動の駆動力を別々とした安価な簡易機構の機械的制御でストローク、吐出量の調節を行う。【選択図】図２
2007292008.tif 000002
【特許請求の範囲】
【請求項１】
シリンダに吸入口および吐出口を設けると共に、先端側壁に切欠部を設けたプランジャを上下動自在かつ回転自在にシリンダ内に設け、プランジャの上下動量を規制する調節機構を設けたストローク調節付きプランジャポンプであって、
回転する円筒カムに押圧面が周期的に上下変位するカム面を設け、該カム面に当接自在な係合ノブを備えると共に、プランジャが回転自在に連結されたカムフォロアを上下動自在に設け、該カムフォロアを上方付勢するスプリングを設けると共に、上下動するカムフォロアに設けたストッパー板が当接自在で、該ストッパー板の上動量を規制するストッパーを上下方向で調節自在に設けた
ことを特徴とするストローク調節付きプランジャポンプ。
【請求項２】
１個の円筒カムの周囲に複数のカムフォロアを等角度間隔で配置すると共に、各々のカムフォロアに対して係合ノブ、シリンダ、プランジャ、スプリング、ストッパー板およびストッパーを夫々設けた
ことを特徴とする請求項１記載のストローク調節付きプランジャポンプ。
【請求項３】
ストッパーである送り棒を送り筒に螺入して、送り棒を上下動自在と成すと共に、送り棒の上端に間隔調節摘みを設けた
ことを特徴とする請求項１又は２記載のストローク調節付きプランジャポンプ。
【請求項４】
円筒カムは上方の大径筒体と下方の小径筒体の２段構成と成し、大径筒体の下面に係合ノブが当接自在なカム面を設けた
ことを特徴とする請求項１、２又は３記載のストローク調節付きプランジャポンプ。
【請求項５】
円筒カムにカム溝を設け、該カム溝の形成上面に係合ノブが当接自在なカム面を設けると共に、カム溝の形成下面は、係合ノブの下面の最下降位置と同一高さと成した
ことを特徴とする請求項１、２又は３記載のストローク調節付きプランジャポンプ。
【請求項６】
円筒カムにカム溝を設け、該カム溝の形成上面に係合ノブが当接自在なカム面を設けると共に、カム溝の形成下面は、係合ノブの下面の最下降位置より低位と成した
ことを特徴とする請求項１、２又は３記載のストローク調節付きプランジャポンプ。
【発明の詳細な説明】
【技術分野】
【０００１】
本発明は、次亜塩素酸ナトリウム溶液の様な自然分解して遊離ガスを発生し易い性質・種類の液体を吐出するプランジャポンプ（往復動ポンプ）に関し、特に、吐出量の調節機構を備えたストローク調節付きプランジャポンプに関する。
【背景技術】
【０００２】
従来、例えば、簡易水道水に滅菌・消毒用の次亜塩素酸ナトリウム溶液を所定量吐出注入するプランジャポンプでは、自然発生した遊離ガスでガスロック現象が発生することがあった。
【０００３】
そこで、本願出願人は、ガスロック現象の防止対策を講じたプランジャポンプを開発し、次に、吐出量を必要に応じて調節するプランジャポンプを開発した。
この吐出量調節のプランジャポンプは、特開２００２−１３４８３（特許文献１）に示される様に、最大吐出量に対する駆動率に応じて、回転速度または間欠回転間隔を電気的に制御するものであった。
【０００４】
しかしながら、電気制御回路は落雷その他による異常電流、電圧で損傷することがあったり、厳しい自然環境で不具合が発生することもあった。
特に、プランジャポンプが多用されている簡易水道は山間僻地に設置されており、故障の把握、メンテナンスが容易でなく、最悪時には未消毒の水道水が供給されることがあった。
又、近年では、プランジャポンプの用途として、簡易水道の他、温泉、温水プール、レジャー施設での使用も増加しているが、電気制御回路は高価であった。
【０００５】
落雷等による故障対策として、図１０に示す様に、特開２００４−２０４７５２（特許第３７７４４３５号、特許文献２）のストローク可変のプランジャポンプが開発された（尚、符号は特許文献２に記載されたもので、ポンプ本体などの構成は本願出願と略同等であり、同一符号を付すと共に、構成の説明は本願の実施形態で説明するため重複説明箇所などを省略する）。
このストローク可変のプランジャポンプ１００は、被移送液中に浸漬したポンプ本体２のシリンダ壁に設けた吸入口２３と吐出口２４とを、その軸周りに回転駆動されるプランジャ４に設けた切欠部２５を介して、シリンダ室内に交互に連通させ、且つ、その軸周りに回転駆動される円筒カム１０の螺旋溝１０ａに係合させたカムフォロア１４の往復動を、プランジャ４に伝える様に構成されたものに於いて、往復動するカムフォロア１４に交互に当接される様に、カムフォロア１４を挟んで対置し、当接後はカムフォロア１４に押されて一体に連動する１組の当接・連動部材５１Ａ，５１Ｂと、１組の当接・連動部材の対置間隔を調節する為の間隔調節手段とを備えた、ストローク調節機構Ａが付設されており、前記対置間隔を、１組の当接・連動部材が、カムフォロア１４を隙間無く挟み付けた最狭間隔Ｖにセットすると、プランジャ４がカムフォロア１４と一体に往復動し、前記対置間隔を、前記最狭間隔Ｖに、カムフォロアの往復動ストロークＳを加えた最広間隔Ｗにセットすると、プランジャ４は、カムフォロア１４との連動関係を断たれ、前記対置間隔を、前記最挟間隔と最広間隔との間の適宜の位置にセットした時には、カムフォロア１４が１組の当接・連動部材のいずれか一方に当接している間だけ、プランジャ４がカムフォロア１４と一体に連動する様に構成したストローク可変のプランジャポンプであった。
そして、前記間隔調節手段は、一方の当接・連動部材に回転自在に組付けた円筒形カム５４と、この円筒形カム５４の螺旋溝５４ａに遊嵌状態で係合されて、他方の当接・連動部材を伴って往復動する従動部材５５と、円筒形カム５４にスプライン軸を介して連結した回転軸５７に取付けた、間隔調節摘み５６とを備えるストローク可変のプランジャポンプであった。
【０００６】
【特許文献１】特開２００２−１３４８３
【特許文献２】特開２００４−２０４７５２
【発明の開示】
【発明が解決しようとする課題】
【０００７】
しかしながら、上記の機械的に作動制御するストローク可変のプランジャポンプは、カムフォロア１４の上下動が、円筒カム１０の螺旋溝１０ａの上下２面のカム面とカムフォロア１４の係合ノブ１４ａの係合で行われるものであって、間隔調節摘み５６による操作が、円筒形カム５４、従動部材５５、１組の当接・連動部材５１Ａ，５１Ｂなどを介して、円筒カム１０の回転駆動によるカムフォロア１４の上下動をプランジャ４に連動または非連動（一部または全部の上下動）で伝達してプランジャ４を上下動させていた。
よって、最大稼働率で上下動するカムフォロア１４の上下動を、ストローク調節機構Ａを介して間接的にプランジャ４に伝達し、且つ、複雑な連動関係を有したストローク調節機構Ａは円筒形カム５４、従動部材５５、１組の当接・連動部材５１Ａ，５１Ｂなどを必要として、ストローク調節機構Ａや全体の駆動機構が複雑で高価であった。
本発明は、機械的に作動制御するストローク調節機構を簡易、安価とする様にしたストローク調節付きプランジャポンプを提供するものである。
【課題を解決するための手段】
【０００８】
本発明は、上記従来技術に基づく、電気制御回路は高価で落雷等による故障が生ずる課題、および、間接伝達で複雑な調節連動関係を有した機械的制御のものは複雑、高価であった課題に鑑み、回転する円筒カムに押圧面が周期的に上下変位するカム面を設け、該カム面に当接自在な係合ノブを備えると共に、プランジャが回転自在に連結されたカムフォロアを上下動自在に設け、該カムフォロアを上方付勢する（圧縮）スプリングを設けると共に、上下動するカムフォロアに設けたストッパー板が当接自在で、該ストッパー板の上動量を規制するストッパー（送り棒）を上下方向で調節自在に設けることによって、カムフォロアの上下動を直接的に調節すると共に、一方向（上動方向）はスプリングで、他方向（下動方向）はカム押圧で、上動量規制はストッパーの位置調節で夫々行い、上下往復動の駆動力を別々とした安価な簡易機構の機械的制御でストローク、吐出量の調節を行う様にして、上記課題を解決する。
【発明の効果】
【０００９】
要するに本発明は、回転する円筒カムに押圧面が周期的に上下変位するカム面を設け、該カム面に当接自在な係合ノブを備えると共に、プランジャが回転自在に連結されたカムフォロアを上下動自在に設けたので、カム面と係合ノブの上下方向係合でカムフォロアに連結された回転するプランジャを上下動させることが出来る。
又、カムフォロアを上方付勢する（圧縮）スプリングを設けたので、スプリングでカムフォロアを上動させて、カム面に係合ノブを当接させることが出来る。
又、上下動するカムフォロアに設けたストッパー板が当接自在で、該ストッパー板の上動量を規制するストッパー（送り棒）を上下方向で調節自在に設けたので、カムフォロアおよび該カムフォロアに連結されたプランジャの上動量をストッパーの上下位置で調節することにより、プランジャの上動量で決まるストローク、ポンプ稼働率を容易に調節することが出来る。
よって、プランジャを直結したカムフォロアの上下動を直接的に調節することにより、且つ、カムフォロアの下動はカム押圧で、上動はスプリングで、上動量規制はストッパーで分担することにより、吐出量調節するストローク調節を機械的制御で行うに際して、カム、スプリング、ストッパーの安価な簡易機構で行うことが出来る。
【００１０】
１個の円筒カムの周囲に複数のカムフォロアを等角度間隔で配置すると共に、各々のカムフォロアに対して係合ノブ、シリンダ、プランジャ、スプリング、ストッパー板およびストッパーを夫々設けたので、即ち、１系統の駆動側手段（円筒カム等）に対して、複数系統の被動側手段（カムフォロア等）を介して複数系統のポンプ機能手段（プランジャ等）、調節機構（スプリング等）を設けたので、次の様な効果が発生する。
例えば、複数系統のポンプ機能の個々の稼働率を個別に設定して、送給量を増大させたり、送給経路、箇所を複数化して送給形態を種々設定することが出来、更に、送給先を１ヵ所とすれば、吸入・吐出サイクルから発生する脈流を減少することが出来る。
【００１１】
ストッパーである送り棒を送り筒に螺入して、送り棒を上下動自在と成すと共に、送り棒の上端に間隔調節摘みを設けたので、簡易構成でストッパーの位置を上下調節することが出来る。
【００１２】
円筒カムは上方の大径筒体と下方の小径筒体の２段構成と成し、大径筒体の下面に係合ノブが当接自在なカム面を設けたので、カム面の下方に円筒カムの部材が無く、カム面の下方所定位置に係合ノブを容易に取付けることが出来ると共に、材料費や加工費を安くすることが出来る。
【００１３】
円筒カムにカム溝を設け、該カム溝の形成上面に係合ノブが当接自在なカム面を設けたので、上下方筒部の間に係合ノブを配置することにより、円筒カムの回転バランスが良かったり、大きな異物がカム溝に侵入できず、カム面と係合ノブの係合関係を良好に維持することが出来ると共に、カム面の上死点では上下方筒部の間に間隔を有していることにより、係合ノブの取付けを容易に行うことが出来る。
又、カム溝の形成下面は、係合ノブの下面の最下降位置と同一高さと成したので、下死点でのカムフォロアの下動位置はプランジャの下降位置と一致すると共に、下方筒部の上面に係合ノブが当接（非押圧）となって、カムフォロア、、ストッパー板などへの異物接触による予期せぬ下動を規制してプランジャ、シリンダなどの損傷を防止することが出来る。
又、カム溝の形成下面は、係合ノブの下面の最下降位置より低位と成したので、カム溝の形成上下面の間隔が広く、係合ノブの取り付け容易化や、材料費や加工費の低減化を図ることが出来る等その実用的効果甚だ大である。
【発明を実施するための最良の形態】
【００１４】
以下、本発明の一実施形態を図面に基づいて説明する。
図１、２は本願発明に係るストローク調節付きプランジャポンプの正面図および側面図、図３は内部構造を示す断面図、図４は使用例を示す図である。
本願発明に係るプランジャポンプ３００、Ａは、図４に示す様に、ポンプ基盤１を、例えば、次亜塩素酸ナトリウム水溶液（以下、水溶液と呼ぶ）Ｂを所定量蓄える液貯留タンクＣの蓋面に固定して使用される。
ポンプ本体の吸入吐出部２は、ポンプ基盤１の下側に連結した延長管３の下端に設けて、液貯留タンクＣ内の底面近くに位置させると共に、ポンプ本体の吸入吐出部２の棒状ピストンであるプランジャ４を上下回転方向に駆動する駆動手段５は、ポンプ基盤１の上部に組付けている。
【００１５】
以下、プランジャポンプ３００、Ａの細部構成を順次説明する。
図１〜３に示す様に、ポンプ基盤１の上部に、駆動手段５を組付ける取付フレーム６を設け、該取付フレーム６の天板７上に軸線縦向きのモータ８を設置すると共に、該モータ８の下端側の出力軸（図示せず）に減速機９の入力軸（図示せず）を連結している。
そして、ポンプ基盤１と天板７の間に円筒カム１０を軸線縦向に組付けると共に、天板７を貫通して円筒カム１０の上方軸１０ａを減速機９の出力軸９ａに連結し、更に、円筒カム１０の下方軸１０ｃをポンプ基盤１の上部に遊嵌して、円筒カム１０を回転自在と成している。
円筒カム１０の周側面には、所定ピッチで周期的運動を付与するカム面１０ｄを有したカム溝１０ｂを凹設して、円筒カム１０を上方筒部１０ｅと下方筒部１０ｆと成し、又円筒カム１０の上方軸１０ａに駆動ギア１１（伝動部材）を軸嵌している。
【００１６】
図８（ａ）に示す様に、前記カム溝１０ｂを形成する上面（上方筒部１０ｅの下面）に設けられ、後述するカムフォロア１４の係合ノブ１４ａに対する押圧面であるカム面１０ｄは所定周期で上下変位させており、円筒カム１０の１回転で、係合ノブ１４ａに対する上死点Ｈおよび下死点Ｌの押圧点を１回ずつ有すると共に、上死点Ｈと下死点Ｌの間では傾斜状にカム面１０ｄを上下変位させている。
尚、上死点Ｈおよび下死点Ｌで所定角度範囲で上下変位せず一定高さとしている。
又、カム溝１０ｂの形成上面に設けたカム面１０ｄに対して、カム溝１０ｂの形成下面（下方筒部１０ｆの上面）でカム面１０ｄの対向面１０ｇは所定高さで一定高さの平坦面と成し、対向面１０ｇの所定高さは、カム面１０ｄの下死点Ｌ位置で最下降位置における係合ノブ１４ａ下面の下死点相当高さＣＬに対応した高さ以下と成している。
【００１７】
上死点Ｈおよび下死点Ｌの間で上下変位するカム面１０ｄと下死点相当高さＣＬ以下で一定高さの対向面１０ｇの間が、適宜高さを有する係合ノブ１４ａの上下運動空間であり、該上下運動空間の幅（高さ）は上死点Ｈの位置で最大で、下死点Ｌの位置で最小となっている。
後述する調節機構６０（圧縮スプリング６３、６３ａ、ストッパーである送り棒６６など）の作用により、カム溝１０ｂに挿入された係合ノブ１４ａは、下死点Ｌではカム面１０ｄに下方から当接するが、上死点Ｈや下死点Ｌと上死点Ｈの中間位置では係合状態や非係合状態（離隔状態）となる。
【００１８】
又、下死点相当高さＣＬに対応した高さ以下と成した対向面１０ｇの高さは、図２〜７、図８（ａ）に示すものでは、係合ノブ１４ａ下面の最下降位置である下死点相当高さＣＬより低位と成しているが、次の様に変化させても良い。
図８（ｂ）に示すものでは、対向面１０ｇの高さ（下方筒部１０ｆの上面）は係合ノブ１４ａ下面の最下降位置である下死点相当高さＣＬと同一高さと成している。
又、図８（ｃ）に示すものでは、円筒カム１０は上方の大径筒体１０ｈと下方の小径筒体１０ｉの２段構成と成し、大径筒体１０ｈの下面に係合ノブ１４ａのカム面１０ｄを設けると共に、対向面１０ｇを非設定としており、カム面１０ｄの下方空間全てがカム溝１０ｂに相当して係合ノブ１４ａの上下運動空間と成している。
【００１９】
図１〜３に示す様に、円筒カム１０に隣接した下方に上下動杆１２を回転自在に設けると共に、該上下動杆１２の下方部は、ポンプ基盤１を貫通して、延長管３の内部を下方に延伸させ、上下動杆１２の下端を継手１３を介してプランジャ４の上端に連結している。
又、円筒カム１０のカム面１０ｄ（カム溝１０ｂ）の略対向位置で、上下動杆１２の上部に継手１３ａを連結すると共に、該継手１３ａに遊嵌したカムフォロア１４を回転不可で上下動自在に配置し、カムフォロア１４の係合ノブ１４ａを円筒カム１０のカム溝１０ｂ内に摺動係合自在に配置している。
又、上下動杆１２の上方部では、モータ８の回転を伝達して円筒カム１０と上下動杆１２に同期回転させるべく、円筒カム１０に設けた駆動ギア１１と噛合させた被動ギア１５（伝動部材）を回転自在に配置し、該被動ギア１５の回転軸１５ａの下端を継手１３ａにスプライン嵌合させている。
【００２０】
かかる構成により、回転軸１５ａに対して、カムフォロア１４を取着し上下動杆１２を連結した継手１３ａを上下動自在と成すと共に、回転軸１５ａの回転を継手１３ａ（上下動杆１２、プランジャ４）に伝達している。
【００２１】
又、延長管３の下端に袋ナット２１により、ポンプ本体における吸入吐出部２の円筒状のケーシング２０を連結すると共に、該ケーシング２０の内空部にプランジャ４を遊嵌させたシリンダ２２を挿着している。
そして、シリンダ２２の先端（下端）部分の周壁に、水溶液Ｂの吸入口２３及び吐出口２４を対向状に設けている。
【００２２】
シリンダ２２に遊嵌されたプランジャ４の先端部分には、吸入口２３または吐出口２４とシリンダ２２の下部内部（図３で容積が０で表示した吸入吐出空間Ｒ）の断続的連通（吸入口２３または吐出口２４の開放）を司る切欠部２５を設けている。
この切欠部２５の形状、そして、吸入口２３及び吐出口２４と切欠部２５との位置関係は、ポンプの吸入工程開始直前に於いて、前記切欠部２５が前記吸入口２３を解放させると共に、プランジャ４の周壁面によって吐出口２４が塞がれ、吐出工程の開始直前に於いては、上記吸入工程と逆になる様に設定している。
【００２３】
中空状のケーシング２０の解放下端は、栓体２８を螺着して封鎖すると共に、ケーシング２０の側壁において、吸入口２３に臨む側壁には入口継手２６を、吐出口２４に臨む側壁には出口継手２７を夫々螺着している。
そして、出口継手２７に水溶液Ｂの導出パイプ３０を上向きに接続すると共に、導出パイプ３０の上端をポンプ基盤１に設けた通液路１ａの始端に連結し、更に、ポンプ基盤１の側面に開口する通液路１ａの末端には、配管継手３１を有した作動確認ゲージ３２を連結している。
尚、作動確認ゲージ３２は送液中であることを確かめる為のものであり、透明なケーシングを備えており、通液路１ａに連通する流路に浮かべたフロートが、通液中には浮動する様子を見られる様にしている。
【００２４】
次に、回転および上下動自在なプランジャ４の上下動量＝ストロークＳを調節する調節機構６０について説明する。
図１〜３に示す様に、下方のポンプ基盤１と上方の天板７の間に一対のスライド軸６１、６１ａを設けると共に、カムフォロア１４を両側に延出し、この延出部に上下方向に設けた挿通孔６２、６２ａにスライド軸６１、６１ａを遊嵌して、カムフォロア１４を上下動自在としている。
更に、ポンプ基盤１の上面とカムフォロア１４の下面の間でスライド軸６１、６１ａに圧縮スプリング６３、６３ａを巻装して、上下動自在なカムフォロア１４を上方付勢している。
【００２５】
又、内面が螺刻された挿通孔６４を有した送り筒６５（ナット筒）を、天板７に貫通状態で設け、送り筒６５の挿通孔６４に螺刻部を有した送り棒６６（送り螺子）を螺着している。
送り棒６６の先端（下端）はカムフォロア１４の対向位置近傍に下方延伸させると共に、送り筒６５から上方突出した送り棒６６の基端（上端）に間隔調節摘み５６を設けており、間隔調節摘み５６の回動操作で送り棒６６を上下動させる様にしている。
尚、送り筒６５の側壁には、送り棒６６の周面に到達する止め螺子６７を設けており、又間隔調節摘み５６の周面に指標（図示せず）を設けると共に、送り筒６５の周面に稼働率の表示目盛（図示せず）を設け、所望の稼働率（ストロークＳ）にセットする時には、表示目盛に指標を一致させる様に、間隔調節摘み５６を手動で回動操作する。
【００２６】
更に、カムフォロア１４の下面にストッパー板６８を取付け、該ストッパー板６８はストッパーである送り棒６６の下方位置まで延設し、送り棒６６の下端にストッパー板６８の上面を当接自在と成している。
【００２７】
次に本発明に係るストローク調節付きプランジャポンプの作用について説明する。
始めに、調節機構６０のストローク調節作用について説明すると、圧縮スプリング６３、６３ａの上方付勢により、カムフォロア１４の係合ノブ１４ａは円筒カム１０に設けたカム溝１０ｂの上方面であるカム面１０ｄに下方から当接する一方、間隔調節摘み５６の回動操作による送り棒６６の下動により、圧縮スプリング６３、６３ａで上方付勢されたカムフォロア１４に設けたストッパー板６８の上昇量を規制している。
尚、後述する様に、圧縮スプリング６３、６３ａで上方付勢されると共に、送り棒６６で上昇量を規制されるカムフォロア１４は、該カムフォロア１４に設けた係合ノブ１４ａが円筒カム１０に設けたカム溝１０ｂと係合関係を有するため、周期的に上下動する一方、カムフォロア１４に取付けた上下動杆１２が回動して、プランジャポンプ３００、Ａの機能を発揮する。
【００２８】
かかる構成、作用により、図５に示す様に、稼働率１００％にセットの状態では、送り棒６６が上方（上死点Ｈ）に位置してカムフォロア１４の上昇が規制されず、図６に示す様に、稼働率０％にセットの状態では、送り棒６６が下方（下死点Ｌ）に位置してカムフォロア１４が上昇不可状態に規制され、図７に示す様に、稼働率０％超過〜１００％未満にセットの状態では、送り棒６６が設定高さ（上死点Ｈと下死点Ｌの中間）に位置してカムフォロア１４の上昇量が規制されている。
【００２９】
次に、プランジャポンプ３００、Ａの基本的作用を、稼働率１００％にセットの状態で説明する。
図５に示す様に、プランジャポンプ３００、Ａを稼働率１００％の最大吐出量にセットする時には、間隔調節摘み５６の回動操作で送り棒６６を所定高さ（上死点Ｈ）に上昇させる。
そして、モータ８の回転駆動により、円筒カム１０が回転すると共に、駆動ギア１１、被動ギア１５、回転軸１５ａ、継手１３ａ、上下動杆１２等を介してプランジャ４が回転する。
同時に、内部に回転自在な継手１３ａを有した回転不可のカムフォロア１４は、圧縮スプリング６３、６３ａで上方付勢されると共に、カムフォロア１４の係合ノブ１４ａが円筒カム１０に設けたカム溝１０ｂに嵌入しているため、円筒カム１０のカム面１０ｄに下方から当接している。
よって、円筒カム１０の回転により、周期的に上下変位するカム面１０ｄと当接する係合ノブ１４ａは上下動し、該係合ノブ１４ａを有したカムフォロア１４は内部で回転する継手１３ａを伴って上下動すると共に、該継手１３ａは回転軸１５ａと回転連動関係を維持している。
上記の２駆動経路で上下動および回転する継手１３ａに、上下動杆１２を介して下方連結されたプランジャ４は、シリンダ２２内で上下回転運動して水溶液Ｂの吸入、吐出を繰り返す。
【００３０】
具体的には、図５（ａ）の吸入開始時には、プランジャ４の下端がシリンダ２２の底面に接した下死点Ｌで、プランジャ４の切欠部２５が吸入口２３に連通開放すると共に、吐出口２４は閉鎖され、図５（ａ）から図５（ｂ）への吸入工程では、プランジャ４の上昇で形成されるシリンダ２２内下方の吸入吐出空間Ｒに、吸入口２３、切欠部２５を介して水溶液Ｂを吸入する。
続くプランジャ４の回転で、吸入口２３および吐出口２４はプランジャ４の周壁面で閉鎖状態の後、プランジャ４の切欠部２５が吐出口２４に連通開放すると共に、吸入口２３は閉鎖継続され、図５（ｂ）から図５（ａ）への吐出工程では、プランジャ４の下降でシリンダ２２内下方の吸入吐出空間Ｒに滞留した水溶液Ｂは圧縮、押圧されて切欠部２５を介して吐出口２４から吐出される。
続くプランジャ４の回転で、吐出口２４が閉鎖されると共に、吸入口２３は閉鎖継続され、吸入開始状態となり、これらの吸入・吐出工程で１サイクルが完了する。
【００３１】
上記の稼働率１００％の時のストロークＳ１００は、カム面１０ｄの上死点Ｈと下死点Ｌの上下高さ（距離）であると共に、上昇時に送り棒６６の下端にストッパー板６８の上面が当接（非押圧）した上死点Ｈと下降時に離隔した下死点Ｌの間の上下高さであり、更に、シリンダ２２内におけるプランジャ４下端の上死点Ｈと下死点Ｌの上下高さである。
そして、プランジャ４下端が上死点Ｈに上昇した時に、吸入吐出空間Ｒが最大容積となると共に、下死点Ｌに降下した時に吸入吐出空間Ｒの容積が０となる。
【００３２】
次に、プランジャポンプ３００、Ａを稼働率０％に絞った状態を説明する。
図６に示す様に、プランジャポンプ３００、Ａを稼働率０％の吸入吐出停止状態にセットする時には、間隔調節摘み５６の回動操作で送り棒６６を所定高さ（下死点Ｌ）に降下させる。
モータ８の回転駆動により、円筒カム１０および上下動杆１２などは回転する一方、カムフォロア１４は圧縮スプリング６３、６３ａで上方付勢されているが、送り棒６６の下端にカムフォロア１４のストッパー板６８の上面が当接して所定高さに維持されている。
そのため、カムフォロア１４が上動せずに、円筒カム１０のカム面１０ｄにカムフォロア１４の係合ノブ１４ａが非当接（図６（ａ）の下死点Ｌでは当接するが非押圧、図６（ｂ）の上死点Ｈや中間点では非当接））で、吸入時、吐出時ともに、カム面１０ｄは係合ノブ１４ａを下方に押圧せず、カムフォロア１４、上下動杆１２、プランジャ４などは上下動しない。
【００３３】
上記の稼働率０％の時のストロークＳ０は、円筒カム１０におけるカム面１０ｄの上死点Ｈと下死点Ｌの間の高さが関係せず、シリンダ２２内におけるプランジャ４は、下死点Ｌの状態のまま回転し、吸入吐出空間Ｒは容積が０のままで、水溶液Ｂを吸入、吐出せず、空転状態となる。
【００３４】
次に、プランジャポンプ３００、Ａの稼働率０％超過〜１００％未満として稼働率５０％の状態を説明する。
図７に示す様に、プランジャポンプ３００、Ａを稼働率５０％の最大吐出量の半分の吐出状態にセットする時には、間隔調節摘み５６の回動操作で送り棒６６を所定高さ（上死点Ｈと下死点Ｌの中間）に上昇または降下させる。
モータ８の回転駆動により、図７（ａ）の吸入開始時は、カム面１０ｄの下死点Ｌが係合ノブ１４ａを押圧すると共に、送り棒６６にストッパー板６８は非当接となっている。  続く円筒カム１０の回転により、係合ノブ１４ａを押圧するカム面１０ｄは上昇することにより、圧縮スプリング６３、６３ａで上方付勢された係合ノブ１４ａはカム面１０ｄに当接維持し、中間位置で、カムフォロア１４のストッパー板６８が送り棒６６に当接して上昇停止する。
それ以降の円筒カム１０の回転時には、カム面１０ｄは上昇するがカムフォロア１４は上昇不可で両者の当接関係は断絶し、係合ノブ１４ａはカム面１０ｄによる下方押圧が解除され、図７（ｂ）に示す様に、上死点Ｈでも送り棒６６に当接したカムフォロア１４は上昇停止し、係合ノブ１４ａとカム面１０ｄは離隔している。
【００３５】
上記の稼働率５０％の時のストロークＳ５０は、カム面１０ｄの上死点Ｈと下死点Ｌの上下高さの半分であると共に、カム面１０ｄの上死点Ｈと係合ノブ１４ａの非当接時における離隔距離と同等であり、又カムフォロア１４とプランジャ４の上昇量は稼働率１００％の時のストロークＳ１００の半分であり、シリンダ２２内におけるプランジャ４は、下死点Ｌと、下死点Ｌと上死点Ｈの中間で上下動し、中間高さでは回転だけで、吸入吐出空間Ｒの容積は半分となる。
尚、稼働率は１００％、０％、５０％の場合を説明したが、稼働率は適宜設定可能であり、稼働率５０％以上の時はカム面１０ｄと係合ノブ１４ａの係合高さが５０％以上となり吸入吐出空間Ｒの容積も５０％以上となり、５０％未満の時は同様に夫々５０％未満となる。
【００３６】
次に、応用例として複数系統式（図示のものは２系統式）のプランジャポンプ４００を図９に基づいて説明する。
上記実施形態では、１台のモータ８で１系統のポンプを作動させる例を示したが、図９に示す様に、１台のモータ８および１個の円筒カム１０等で複数系統のポンプ（複数個の吸入吐出部２、上下動杆１２、カムフォロア１４および調節機構６０等）を作動させる様にしても良い。
１系統のポンプの各種構成要件は、駆動側手段Ｄのモータ８、減速機９、円筒カム１０および駆動ギア１１等と、被動側手段Ｅ（後述の２系統のものとの対比説明のために符号Ｅを付したが図示せず）の係合ノブ１４ａを有したカムフォロア１４、被動ギア１５および上下動杆１２等と、被動側手段Ｅに連結されたポンプ機能手段Ｆ（符号Ｅと同様に符号Ｆは図示せず）の吸入吐出部２（主にプランジャ４、シリンダ２２）および導出パイプ３０等と、被動側手段Ｅのカムフォロア１４に作用する調節機構６０（間隔調節摘み５６、圧縮スプリング６３、６３ａ、送り棒（ストッパー）６６およびストッパー板６８等）に区分できる。
【００３７】
図９に示す様に、２系統式（２連並立式）のプランジャポンプ４００は、１系統の駆動側手段Ｄに対して２系統の被動側手段ＥＡ、ＥＢを連結すると共に、該被動側手段ＥＡ、ＥＢに対して、１：１の関係で、ポンプ機能手段ＦＡ、ＦＢと調節機構６０Ａ、６０Ｂ（各々、合計２系統）を夫々設け、ポンプ基盤１や天板７等は共有させている。
具体的には、円筒カム１０の両側対向位置に２個のカムフォロア１４Ａ、１４Ｂを併設すると共に、該カムフォロア１４Ａ、１４Ｂの夫々の係合ノブ１４ａを円筒カム１０のカム面１０ｄに当接自在と成す一方、円筒カム１０の上部に設けた駆動ギア１１の両側に２個の被動ギア１５Ａ、１５Ｂを併設噛合させている。
そして、上下動するカムフォロア１４Ａ、１４Ｂと回転する被動ギア１５Ａ、１５Ｂに、１系統のものと同一部材を介して、併設した上下動杆１２Ａ、１２Ｂを上下回転自在と成している。
又、２系統が共有したポンプ基盤１を貫通する２本の上下動杆１２Ａ、１２Ｂには、ポンプ機能手段ＦＡ、ＦＢを連結すると共に、２個のカムフォロア１４Ａ、１４Ｂに対して、個別調整可能な調節機構６０Ａ、６０Ｂを夫々独立して設けている。
【００３８】
次に、２系統式のプランジャポンプ４００の作用について説明する。
液貯留タンクＣに２系統式のプランジャポンプ４００のポンプ基盤１を取付けることにより、プランジャポンプ４００の２個の吸入吐出部２Ａ、２Ｂは液層中に浸漬され、モータ８の駆動で吸入吐出部２Ａ、２Ｂのプランジャ４Ａ、４Ｂが個別に上下回転して、水溶液Ｂが２系統から導出パイプ３０を通過して吐出される。
独立配置された調節機構６０Ａ、６０Ｂの調整により、２系統の被動側手段ＥＡ、ＥＢを介した２系統のポンプ機能手段ＦＡ、ＦＢは１００％〜０％の稼働率の設定が夫々可能であり、１台のモータ８で、例えば、１５０％、２００％の吐出量を同一の簡易水道等へ送給したり、例えば各５０％の同一量、４０％と８０％の相違率の吐出量を簡易水道と別用途の２経路や１経路における上下流部に別々に送給する。
【００３９】
又、プランジャポンプは吸入工程と吐出工程を繰り返して、水溶液Ｂを間欠状態で吐出・送給しており、簡易水道等への送給経路では脈流が発生している。
これに対して、２系統の被動側手段ＥＡ、ＥＢは円筒カム１０を中心とした周囲に等角度間隔で配置していることにより、２系統のカムフォロア１４Ａ、１４Ｂの係合ノブ１４ａは上下変位するカム面１０ｄに沿って上下動（図示のものは稼働率０％で同一高さ）し、例えば、一方の被動側手段ＥＡが上死点Ｈの時には他方の被動側手段ＥＢが下死点Ｌの状態となり、２系統のポンプ機能手段ＦＡ、ＦＢは、吸入工程と吐出工程が１８０度位相で発生する。
よって、２系統のポンプ機能手段ＦＡ、ＦＢによる水溶液Ｂの送給状況は、一方の送給圧力が上昇時には他方は下降時で、送給先を１ヵ所とすると、２経路では脈流間隔が半減し、更に、位相相違の２脈流を１経路に合流させれば、経路内通過抵抗と相俟って、脈流現象が減少する。
【００４０】
尚、上記説明では、２系統式のものを示したが、３、４系統式などの複数系統式としても勿論良い。
例えば、２系統式のものでは、円筒カム１０を中心とした周囲で、１系統の駆動側手段Ｄに対して、各々２系統の被動側手段ＥＡ、ＥＢ、ポンプ機能手段ＦＡ、ＦＢおよび調節機構６０Ａ、６０Ｂを対向配置（１８０度毎に等角度間隔配置）したが、３系統式のものでは１２０度毎に等角度間隔配置し、４系統式のものでは９０度毎に等角度間隔配置する。
即ち、Ｎ系統式のものでは、（３６０÷Ｎ）度毎に等角度間隔配置すると共に、円筒カム１０のカム面１０ｄに係合ノブ１４ａが当接自在と成る様に配置し、配置間隔角度（（３６０÷Ｎ）度）が位相差の角度となる。
そして、３系統以上の複数系統式のものの作用としては、２系統式のものの送給作用の形態を拡充したものとなり、例えば、送給量増大（例えば３倍以上）、３系統以上、川上から川下の３ヶ所以上、脈流軽減強化等の作用となる。
【図面の簡単な説明】
【００４１】
【図１】本発明に係るストローク調節付きプランジャポンプの正面図である。
【図２】図１の側面図である。
【図３】図１の縦断面図である。
【図４】プランジャポンプの使用状態を示す側面図である。
【図５】プランジャポンプの吐出能力（稼働率）を１００％にセットした時の、ストローク調節機構の作動説明図である。
【図６】プランジャポンプの吐出能力を０％にセットした時の、ストローク調節機構の作動説明図である。
【図７】プランジャポンプの吐出能力を５０％に調節した時の、ストローク調節機構の作動説明図である。
【図８】円筒カムの他例を示す図である。
【図９】２系統式のプランジャポンプを示す図である。
【図１０】従来のプランジャポンプの縦断面図である。
【符号の説明】
【００４２】
４              プランジャ
１０            円筒カム
１０ｄ          カム面
１４            カムフォロア
１４ａ          係合ノブ
１０ｈ          大径筒体
１０ｉ          小径筒体１０ｉ
２２            シリンダ
２３            吸入口
２４            吐出口
２５            切欠部
５６            間隔調節摘み
６０            調節機構
６３、６３ａ    スプリング
６８            ストッパー板
６６            ストッパー（送り棒）
６５            送り筒
Ｄ              駆動側手段
ＥＡ、ＥＢ      被動側手段
ＦＡ、ＦＢ      ポンプ機能手段
６０Ａ、６０Ｂ  調節機構
【図１】
2007292008.tif 000003
【図２】
2007292008.tif 000004
【図３】
2007292008.tif 000005
【図４】
2007292008.tif 000006
【図５】
2007292008.tif 000007
【図６】
2007292008.tif 000008
【図７】
2007292008.tif 000009
【図８】
2007292008.tif 000010
【図９】
2007292008.tif 000011
【図１０】
2007292008.tif 000012